(57)【要約】【課題】基板の配置を最適化し、効率良く放熱できる画像表示装置を提供すること。【解決手段】パネル３と、パネル３に光を照射する光源が配置された光源基板１０と、パネル３の動作を制御する制御基板１１と、光源基板１０の背面に位置し、制御基板１１を固定するバックライトベース５と、を備え、バックライトベース５は、光源基板１０の背面に面する正面部５Ｆと、正面部５Ｆに対して背面側に延びる側面部とを有し、制御基板１１を固定する固定部を側面部に備えることを特徴とする。【選択図】図５
2017223768.tif 000002
【特許請求の範囲】
【請求項１】
表示パネルと、
前記表示パネルに光を照射する光源が配置された光源基板と、
前記表示パネルの動作を制御する回路基板と、
前記光源基板の背面に位置し、前記回路基板を固定するベース部材と、
を備え、
前記ベース部材は、前記光源基板の背面に面する正面部と、前記正面部に対して背面側に延びる側面部とを有し、前記回路基板を固定する固定部を前記側面部に備える
ことを特徴とする画像表示装置。
【請求項２】
前記光源基板を駆動する駆動基板を備え、
前記駆動基板は、前記ベース部材の前記光源基板よりも背面側に固定されることを特徴とする請求項１に記載の画像表示装置。
【請求項３】
前記回路基板は、少なくとも一対の相対する側面部に固定されていることを特徴とする請求項１又は請求項２に記載の画像表示装置。
【請求項４】
前記ベース部材は、前記光源からの熱を放熱させる放熱部材であることを特徴とする請求項１乃至請求項３の何れか一項に記載の画像表示装置。
【請求項５】
前記正面部と前記側面部とは、同一の部材であり、前記側面部は、前記正面部に対して背面側に屈曲して設けられることを特徴とする請求項１乃至請求項４の何れか一項に記載の画像表示装置。
【請求項６】
前記正面部と前記側面部とは、それぞれ独立した部材であることを特徴とする請求項１乃至請求項４の何れか一項に記載の画像表示装置。
【請求項７】
前記表示パネルは、液晶パネルであることを特徴とする請求項１乃至請求項６の何れか一項に記載の画像表示装置。
【請求項８】
前記光源基板に配置された光源を収容するケースをさらに備え、前記ベース部材は、前記ケースの背面側に配置されることを特徴とする請求項１乃至請求項７の何れか一項に記載の画像表示装置。
【発明の詳細な説明】
【技術分野】
【０００１】
本発明は、画像表示装置に関する。
【背景技術】
【０００２】
液晶をはじめとする透過型の画像表示装置は、パネルの背面から光を照射するバックライトを備えている。
【０００３】
近年では、テレビジョン装置や業務用表示装置において、発光ダイオード（ＬＥＤ）を用いたバックライトが多く用いられている。バックライトにＬＥＤを採用することで、装置の長寿命化や廃棄リサイクル処理の容易化を図ることができる。
【０００４】
近年、水平方向の解像度が約８０００（８Ｋ）の画像表示装置に代表される超高精細化や高輝度化に伴い、バックライトの発熱量が増大している。バックライトの温度が許容値を超えると、各種電子部品の動作不良を引き起こすおそれがある。特にＬＥＤは温度特性を持っているため、温度が高くなることにより、輝度が低下したり、色がずれる可能性がある。従って、効率良く放熱させることが重要である。
【０００５】
また、画像表示装置が超高精細化することにより、表示パネルを駆動させる基板類の数も多くなることが予想される。従って、多数の基板類を有限の面積において、効率良く配置させることが重要である。
【０００６】
次に従来の画像表示装置の構造について説明する。
【０００７】
図９は従来の画像表示装置の構造を示す断面図である。画像表示装置１００は、主な構成として表示パネル３００、ベゼル２００、パネルホルダー７００、光学シート８００、バックライトケース４００、光源基板１０００から構成される。表示パネル３００は、ベゼル２００とパネルホルダー７００で狭持される。表示パネル３００には、フレキシブルプリント基板（以下ＦＰＣ）３００Ｆで接続されたドレイン基板３００Ｄ、また、フレキシブルフラットケーブル（以下ＦＦＣ）３００Ｃで接続された、制御基板１１００が接続されている。
【０００８】
バックライトケース４００の内部は、光源基板１０００が固定され、光源基板１０００上に実装されたＬＥＤ１０００Ｌが発光すると、光学シート８００を通して、表示パネル３００を透過することにより、表示パネル３００の表面に画像を表示する。
【０００９】
ＬＥＤ１０００Ｌが発光した際に放熱させる為に、背面に配置されたバックライトケース４００を通して外気に放熱させる。バックライトケース４００背面には、前記制御基板１１００が、バックライトケース４００の背面と平行に配置されている。また、気流ＡＦはバックライト部背面の気流の流れを示している。
【００１０】
続いて、従来の画像表示装置の別の構造について説明する。
【００１１】
図１０は特許文献１に記載の画像表示装置の断面図である。表示パネル２３００は、ベゼル２２００とパネルホルダー２４００に狭持されている。光学シート２８００は、前記パネルホルダー２４００とセンターシャーシ２４００の間で保持されている。表示パネル２３００から接続されたドレイン基板２３００Ｄは、基板固定ネジ２３００Ｓでセンターシャーシ２４００に固定されている。
【先行技術文献】
【特許文献】
【００１２】
【特許文献１】特開２００８−８３５８４号公報
【発明の概要】
【発明が解決しようとする課題】
【００１３】
しかしながら、上述の特許文献１に記載の画像表示装置は、光源からの発熱量が増加した場合、放熱板の役割であるバックライトケースの背面に制御基板が配置される為、バックライトケースの背面からの放熱が十分に出来ない可能性がある。
【００１４】
また、特許文献１の画像表示装置では、ドレイン基板はバックライトケースとは独立されたセンターシャーシに固定されている。センターシャーシの側面部はドレイン基板が配置されるが、ドレイン基板が接続される制御基板は、センターシャーシに設置できる面積は無く、バックライト背面に配置する必要がある。画像表示装置が高輝度化および高精細化にする場合、基板数が多くなることから、バックライトの背面側に基板を配置することが困難となる。
【００１５】
本発明は、上述の課題を鑑みて、基板の配置を最適化し、効率良く放熱できる画像表示装置を提供することを目的とする。
【課題を解決するための手段】
【００１６】
上記の目的を達成するために、本発明に係る画像表示装置は、
表示パネルと、前記表示パネルに光を照射する光源が配置された光源基板と、前記表示パネルの動作を制御する回路基板と、前記光源基板の背面に位置し、前記回路基板を固定するベース部材と、を備え、前記ベース部材は、前記光源基板の背面に面する正面部と、前記正面部に対して背面側に延びる側面部とを有し、前記回路基板を固定する固定部を前記側面部に備えることを特徴とする。
【発明の効果】
【００１７】
本発明に係る画像表示装置によれば、バックライトの高輝度化に伴う発熱量の増大と、高精細化に伴う回路基板の複数化となっても、効率の良い放熱構造と基板配置の最適化を提供することが可能となる。
【図面の簡単な説明】
【００１８】
【図１】第１の実施形態に係る画像表示装置の外観を示す正面図である。
【図２】第１の実施形態に係る画像表示装置の外観を示す側面図である。
【図３】第１の実施形態に係る画像表示装置の外観を示す斜視図である。
【図４】第１の実施形態に係る画像表示装置の分解図である。
【図５】第１の実施形態に係る画像表示装置の断面図である。
【図６】第１の実施形態に係る画像表示装置のバックライトの分解図である。
【図７】第１の実施形態に係る画像表示装置の上部断面図である。
【図８】第２の実施形態に係る画像表示装置のバックライトの分解図である。
【図９】従来の画像表示装置の断面図断面図である。
【図１０】従来技術の画像表示装置の上部断面図である。
【発明を実施するための形態】
【００１９】
以下、本発明を実施するための形態について、図面を参照しながら説明する。
【００２０】
（実施例１）
本発明の実施形態を以下に詳細に説明する。
【００２１】
図１は第１の実施形態に係る画像表示装置の正面図である。図２は第１の実施形態に係る画像表示装置の側面図である。また、図３は第１の実施形態に係る画像表示装置の斜視図である。
【００２２】
画像表示装置１は、表示パネル３の前面周囲を覆う様にベゼル２で正面の外装を構成している。表示パネル３の正面は画像表示範囲３ａに画像を表示できる範囲を具備しており、ベゼル２は前記画像表示範囲３ａを視認できるように、略ロの字の開口部２ａを有している。
【００２３】
図２において、構成を説明する。
【００２４】
ベゼル２の背面にはバックライトケース４が配置されており、さらにその背面にはバックライトベース５が配置されている。また、バックライトベース５の側面には、筐体内部へ空気を吸入する吸気孔５ａが配置されている。
【００２５】
図３において、画像表示装置の上面について説明する。バックライトベース５の上面には基板カバー６Ｔが具備されている。前記基板カバー６Ｔは、後述する表示パネル３に接続された基板類を内部に有するカバーである。
【００２６】
図４は第１の実施形態に係る画像表示装置の分解図である。
【００２７】
表示パネル３の前面に開口部を有するベゼル２が配置されている。表示パネル３の背面にはバックライトが配置されており、以下に説明する。
【００２８】
光源基板１０は、表示パネル３に光を照射するための光源が配置された基板である。光源基板１０は光源として近年ではＬＥＤを用いることが多い。ＬＥＤ以外にもＣＣＦＬ（冷陰極管）を用いる場合がある為、光源に関しては、技術的に限定されるものではない。光源基板１０の光出射方向にはバックライトケース４が配置される。
【００２９】
バックライトケース４は、光源基板１０に配置された光源に対応した開口を有し、バックライトケース４の内部に光源基板１０の光源を収容する。バックライトケース４の表示パネル３方向には反射シート９が配置される。
【００３０】
反射シート９は光源基板１０からの拡散した光を表示パネル３へ効率よく反射させるためのものである。反射シート９の表示パネル３側には光学シート類８が配置される。
【００３１】
光学シート類８は、光源基板１０からの光を拡散させたり集光させることにより、光源基板１０上の光源が点光源にならないようにしたり、集光させることにより正面の輝度を向上させるためのものである。
【００３２】
前記光学シート類８の液晶パネル３側には、パネルホルダー５を配置する。パネルホルダー５は、前記光学シート類８を押える役割と、表示パネル３を背面側から支持する役割を持っている。また、バックライトケース４の上側面には基板ホルダー４Ｈが配置される。表示パネル３は、液晶パネルのように光透過性を有するパネルである。上記の様にバックライトからの光を効率よく出射し、液晶パネルを通して光を透過させることにより、表示パネル上に画像を表示させる。
【００３３】
光源基板１０の背面には、光源基板１０を保持する為にバックライトベース５が配置されている。光源基板１０は、バックライトケース４にネジ等の係合手段により固定されるが、バックライトベース５において狭持される。バックライトベース５の背面にはヒートシンク１２が固定されている。光源基板１０は、バックライトケース４とバックライトベース５に狭持されることにより密着することが出来るので、背面に具備されているヒートシンク１２を通して効率良く放熱することが出来る。
【００３４】
バックライトベース５より背面の構成は、光源基板１０を駆動させる為の駆動基板１４が固定金具１３を通して、バックライトベース５に固定される。また、さらに背面には、別の駆動基板１６が固定金具１５を通してバックライトベース５に固定される。最も背面には、固定板金１７を介して画像処理基板１８が配置される。画像表示装置の背面は、内部を換気する為のファン１９を上部に配置し、背面下部は外装を構成するカバー２０が配置されている。
【００３５】
バックライトベース５の上下部分の構成を説明する。
【００３６】
表示パネル３から接続される制御基板１１が、バックライトベース５の上下に配置される。
【００３７】
以上の様に、表示パネルの高精細化に伴い、表示する画像の画像処理が複雑化し、表示パネルに接続される制御基板や画像処理基板は、増大する傾向にある。
【００３８】
次に、画像表示装置１内部の放熱について説明する。
【００３９】
図５は第１の実施形態に掛かる画像表示装置の断面図である。
【００４０】
図５に示されているように気流ＡＦは画像表示装置１の下部に配置されているカバー２０の吸気孔２０Ｖから流入し、ファン１９から外部に排出される。吸気孔２０Ｖから流入した気流ＡＦは、光源基板１０の背面のバックライトベース５に固定されたヒートシンク１２のフィン（図示せず）の間を通過することにより、光源基板１０からの熱を放熱することが出来る。この時、バックライトベース５の材質はアルミニウムの様な、熱伝導率の高い材料が望ましい。また、熱を通過させる材質であれば、特に限定されるものではない。
【００４１】
次にバックライトからの放熱を効率よく行うバックライトベースについて説明する。
【００４２】
図６は第１に実施形態に係る画像表示装置のバックライトの分解図である。
【００４３】
光源基板１０の背面にはバックライトベース５が配置される。バックライトベース５は、背面にヒートシンク１２が複数固定されている。バックライトベース５は、光源基板１０から発せられた熱を放出する放熱部材である。
【００４４】
バックライトベース５は、光源基板１０の背面側に位置し、表示パネル３の動作を制御するための制御基板１１を固定するベース部材である。制御基板１１は、画像信号に応じて表示パネル３の各素子の透過率を制御する回路基板である。
【００４５】
バックライトベース５は、光源基板１０の背面側に位置する正面部５Ｆと、正面部５Ｆから背面方向に屈曲した側壁を構成する側面部を有する。側面部は、画像表示装置１の正面から見て、バックライトベース５の右側面を形成する右側面部５Ｒ、同じく左側面を形成する左側面部５Ｌ、上部を構成する上面部５Ｔ、下部を構成する底部５Ｂから構成されている。バックライトベース５の上面部５Ｔには、制御基板１１ＴＲ、１１ＴＬが固定部５Ｓを通して固定される。制御基板１１ＴＲ，１１ＴＬは、表示パネル３の動作を制御するための回路基板である。また、バックライトベース５の底部５Ｂにも、制御基板１１ＢＲ、１１ＢＬが配置される。
【００４６】
図７は第１の実施形態に係る画像表示装置１の上部断面図である。
【００４７】
表示パネル３から接続されるドレイン基板３Ｄが、バックライトケース４の上部に配置されている。ドレイン基板３Ｄは表示パネル３と、ＦＰＣ３Ｆで接続されている。また、制御基板１１ＴＲはドレイン基板３ＤとＦＦＣ３Ｃで接続されている。制御基板１１ＴＲは、図６で説明したようにバックライトベース５の上面部５Ｔに固定部５Ｓを通してネジ等の係合手段により固定される。表示パネル３へ画像信号を送信する基板である、ドレイン基板３Ｄと制御基板１１ＴＲは、ともに画像表示装置の上部の側面に固定されることになる。よって、バックライトベース５は背面に向けて解放されており、表示パネル３を制御する基板類が背面ではなく、上面部５Ｔおよび底部５Ｂに配置させることが可能である。
【００４８】
なお、画像制御する基板類は、左側面部５Ｌおよび右側面部５Ｒに固定することも可能である。制御基板は、バックライトベース５の正面部５Ｆに対して屈曲して形成された上面部５Ｔおよび底部５Ｂ、もしくは左側面部５Ｌおよび右側面部５Ｒの相対する一対の側面部に配置される。
【００４９】
上記のように、基板類がバックライトベースの上面部および底部に固定されており、光源基板の背面部が解放となっている為、効率良く放熱させることが可能である。
【００５０】
（実施例２）
実施例２は、バックライトベースの構成を変更した場合の実施例である。
【００５１】
図８は第２の実施形態に係る画像表示装置のバックライトの分解図である。
【００５２】
第１の実施形態の画像表示装置のバックライトベースの正面部と側面部とは、一体成型により同一の部材から成る構成だが、第２の実施形態の画像表示装置のバックライトベースの正面部と側面部とは、それぞれが独立した部材である。
【００５３】
バックライトベース２５は、光源基板が固定される正面部２５Ｆと正面部２５Ｆに対して背面側に延びる側面部とを有する。側面部は、右側面部２５Ｒ、左側面部２５Ｌ、上面部２５Ｔ、および底部２５Ｂを有する。側面部のそれぞれの部分は、それぞれ独立した部材で形成されており、ネジや溶接などの係合手段で固定される。第１の実施形態と同様に制御基板を上面部２５Ｔ、底部２５Ｂに固定する。
【００５４】
側面部のそれぞれの部分が独立した形態のため、正面部２５Ｆの材質のみを変更することが可能である。例えば、正面部２５Ｆを銅にし、その他の部分をアルミニウムにすることが可能である。光源基板１０で発生した熱は、上方に移動する傾向があるため、光源基板１０からの放熱をさらに効率良く行うことが可能となる。
【００５５】
第１の実施形態の画像表示装置では、上面部、および底部に画像表示装置を配置した例であるが、側面部に固定部を有し、前記側面部に制御基板を固定することも可能である。
【００５６】
このようにすることで、バックライトの高輝度化に伴う発熱量の増大と、高精細化に伴う回路基板の複数化となっても、効率の良い放熱構造と基板配置の最適化を提供することが可能となり、先行技術の課題を解決することができる。
【００５７】
また、各実施形態の説明は、本発明を説明する上での例示であり、発明の趣旨を逸脱しない範囲で適宜変更または組み合わせて実施して良い。
【符号の説明】
【００５８】
１  画像表示装置、２  ベゼル、３  パネル、４  バックライトケース、
５  バックライトベース、６  基板カバー、７  パネルホルダー、８  光学シート類、
９  反射シート、１０  光源基板、１１  制御基板、１２  ヒートシンク、
５Ｆ  正面部５Ｆ、５Ｌ，５Ｒ  側面部、５Ｓ  固定部
【図１】
2017223768.tif 000003
【図２】
2017223768.tif 000004
【図３】
2017223768.tif 000005
【図４】
2017223768.tif 000006
【図５】
2017223768.tif 000007
【図６】
2017223768.tif 000008
【図７】
2017223768.tif 000009
【図８】
2017223768.tif 000010
【図９】
2017223768.tif 000011
【図１０】
2017223768.tif 000012